(57)【要約】【課題】船体の先端部が当接することで簡単に開錠し、船体の進行によって扉体を開放することができる通船ゲート装置を提供する。【解決手段】網場ｂの途中に、船体ｃに干渉しない幅と深さを有して船体の通路ｄを形成する接続枠体１を介在させ、該接続枠体の通路内にこの接続枠体の側枠へその外側部を回動縦軸１２ａ，１２ｂにより取り付けて通船が進行する前後方向へ回動自在とし、接続枠体の通路を通船しないとき該接続枠体の通路を閉塞する観音開き状の一対の扉体２ａ，２ｂを設けて、これら一対の扉体の内側部に船体の進行方向先端部が当接する受動体３ａ，３ｂをそれぞれ設けると共に、一対の扉体に、常時は該一対の扉体が施錠状態に保持され、受動体の少なくとも一方に船体が当接したとき一対の扉体が開錠状態となる施錠・開錠手段４を設ける。【選択図】　　図１
2004044107.tif 000002
【特許請求の範囲】
【請求項１】
貯水池，ダム湖等の水面部に張設された網場の途中に介在させて、前記水面部を通行する船体に干渉しない幅と深さを有して前記網場に前記船体の通路を形成する接続枠体と、該接続枠体の通路内に設けてこの接続枠体の側枠へその外側部を回動縦軸により取り付けて前記船体が進行する前後方向へ回動自在とし、前記接続枠体の通路を通船しないとき該接続枠体の通路を閉塞する観音開き状の一対の扉体と、これら一対の扉体において前記回動縦軸側とは反対側へ突設させて前記船体の進行方向先端部が当接する受動体と、前記一対の扉体に設けて、常時は該一対の扉体が施錠状態に保持され、前記受動体の少なくとも一方に前記船体が当接したとき前記一対の扉体が開錠状態となる施錠・開錠手段とを備えさせたことを特徴とする通船ゲート装置。
【請求項２】
受動体は、一対の扉体において前記回動縦軸側とは反対側で、船体の進行方向先端部が当接する側へ突設させてあり、前記一対の扉体のうちの一方の扉体に取り付けられた受動体は、前記一対の扉体のうちの他方の扉体に取り付けられた受動体より前記船体側へ突出させてあり、
施錠・開錠手段は、前記一方の扉体に取り付けられると共に移動自在に設けた係止体と、前記他方の扉体に設けて前記係止体に係合して前記一対の扉体を連結する連結体と、受動体に接続してこの受動体が船体の進行方向先端部により押されたとき、前記係止体を移動させて該係止体の前記連結体との係合を解除させる操作手段とを備えさせたことを特徴とする請求項１記載の通船ゲート装置。
【請求項３】
施錠・開錠手段は、一対の扉体のうちの一方の扉体に取り付けられると共に移動自在に設けた係止体と、前記一対の扉体のうちの他方の扉体へその一端部を支軸により上下方向へ回動自在に設け、前記係止体に係合して前記一対の扉体を連結する連結体と、受動体に接続してこの受動体が船体の進行方向先端部により押されたとき、前記係止体を移動させて該係止体の前記連結体との係合を解除させる操作手段とを備えさせたことを特徴とする請求項１記載の通船ゲート装置。
【請求項４】
一対の扉体には、該一対の扉体の開放を連動させる連動手段を設けてあって、
この連動手段は、前記連結体の他端部に付設した連動部材と、前記一対の扉体のうちの一方の扉体へ取り付けて前記連動部材に係合する作動体と、前記連結体か前記連動部材かに設けて前記作動体が当接し、前記扉体の閉塞時に前記係止体と前記連結体との係合を行う操作部材とからなり、
該操作部材は、前記連結体か前記連動部材かの下面から前記扉体の外方へ向かって上り傾斜となるように延設してあって、この操作部材の下面に前記作動体が当接して前記扉体の回動に伴って前記連結体を上方に回動させることを特徴とする請求項１記載の通船ゲート装置。
【発明の詳細な説明】
【０００１】
【産業上の利用分野】
本発明は、貯水池，ダム湖等の網場に設けた通船ゲート装置に関する。
【０００２】
【従来の技術】
現今、貯水池やダム湖等においては、その放水門側等への塵芥や流木が流出しないように、水面および水面下の所定深さを網場と呼ばれる網状の仕切帯によって仕切らせて、これにより前記塵芥や流木がその下流側に流出することがないように防止している。
【０００３】
また、この貯水池やダム湖等の水上は、該全所へ隈なく集塵船や巡視船が行き来する必要性を有するため、この網場はその適所において通船ゲートが設けられていて、該通船ゲートは、通船時に開門させて該船が往来ができるようにされている。
【０００４】
従来、この通船ゲートは、図１１に示すように、貯水池やダム湖等に張設した網場８０の途中に、凵型状のゲート枠材８１をフロート８２により支持させつつ連結させてあり、このゲート枠材８１の空所に、図１１（ａ）に示すように、観音開き状に開閉する扉８３ａ，８３ｂや、図１１（ｂ）に示すように、上下運動により開閉する扉８３ｃを取り付けてある。
【０００５】
そして、前者の観音開き式の扉８３ａ，８３ｂは、ゲート枠材８１の側部へ一対の扉８３ａ，８３ｂの一側部を支軸８４等により取り付けて中央部から観音開きに開閉されるもので、この一対の扉８３ａ，８３ｂは、それぞれの内端部が連結輪８５により連結されていて、通常は閉塞状態に維持されている。
そのため、船体の通過にあっては、この通船ゲートの間際まで接近し、作業者が船体における舳先部に移動して連結輪８５を図１１（ａ）において仮想線で示すように外し、一対の扉８３ａ，８３ｂを手動により押し出して観音開き状に開放し、通船後は、作業者は船体の船尾部へ移動して閉扉し、この一対の扉８３ａ，８３ｂを連結輪８５により連結する作業を行うので、その作業が甚だ面倒であった。
【０００６】
一方、この作業を自動化させて扉の開閉に対する作業性の向上を図る装置として、前記した後者の上下動式の扉８３ｃなどが開発されたが、例えば、この上下動式の扉８３ｃは、ウインチ８６に操作されるワイヤーロープ８７により吊持させてあって、この扉８３ｃを、電動により開閉操作される。なお、観音開き式の扉であっても自動化されたものが存在する。
しかしながら、これら扉８３は、電動により開扉や閉扉操作を行うため、その駆動のためのモータ系やバッテリー・太陽電池などの電源系および遠隔操作用の機器に多大な設備費や管理費が掛かって、通船ゲートを安価に市場提供することができないものであった。
【０００７】
【発明が解決しようとする課題】
本発明は、前記した問題点を解決するためになされたもので、網場の途中に、船体に干渉しない幅と深さを有して船体の通路を形成する接続枠体を介在させ、該接続枠体の通路内にこの接続枠体の側枠へその外側部を回動縦軸により取り付けて通船が進行する前後方向へ回動自在とし、接続枠体の通路を通船しないとき該接続枠体の通路を閉塞する観音開き状の一対の扉体を設けて、これら一対の扉体の内側部に船体の進行方向先端部が当接する受動体をそれぞれ設けると共に、一対の扉体に、常時は該一対の扉体が施錠状態に保持され、受動体の少なくとも一方に船体が当接したとき一対の扉体が開錠状態となる施錠・開錠手段を設けることにより、船体の先端部が当接することで簡単に開錠し、船体の進行によって扉体を開放することができる通船ゲート装置を提供することを目的としている。
【０００８】
【課題を解決するための手段】
前記した目的を達成するための本発明の手段は、
貯水池，ダム湖等の水面部に張設された網場の途中に介在させて、前記水面部を通行する船体に干渉しない幅と深さを有して前記網場に前記船体の通路を形成する接続枠体と、該接続枠体の通路内に設けてこの接続枠体の側枠へその外側部を回動縦軸により取り付けて前記船体が進行する前後方向へ回動自在とし、前記接続枠体の通路を通船しないとき該接続枠体の通路を閉塞する観音開き状の一対の扉体と、これら一対の扉体において前記回動縦軸側とは反対側へ突設させて前記船体の進行方向先端部が当接する受動体と、前記一対の扉体に設けて、常時は該一対の扉体が施錠状態に保持され、前記受動体の少なくとも一方に前記船体が当接したとき前記一対の扉体が開錠状態となる施錠・開錠手段とを備えさせた通船ゲート装置の構成にある。
【０００９】
受動体は、一対の扉体において前記回動縦軸側とは反対側で、船体の進行方向先端部が当接する側へ突設させてあり、前記一対の扉体のうちの一方の扉体に取り付けられた受動体は、前記一対の扉体のうちの他方の扉体に取り付けられた受動体より前記船体側へ突出させてあり、
施錠・開錠手段は、前記一方の扉体に取り付けられると共に移動自在に設けた係止体と、前記他方の扉体に設けて前記係止体に係合して前記一対の扉体を連結する連結体と、受動体に接続してこの受動体が船体の進行方向先端部により押されたとき、前記係止体を移動させて該係止体の前記連結体との係合を解除させる操作手段とを備えさせる。
【００１０】
施錠・開錠手段は、一対の扉体のうちの一方の扉体に取り付けられると共に移動自在に設けた係止体と、前記一対の扉体のうちの他方の扉体へその一端部を支軸により上下方向へ回動自在に設け、前記係止体に係合して前記一対の扉体を連結する連結体と、受動体に接続してこの受動体が船体の進行方向先端部により押されたとき、前記係止体を移動させて該係止体の前記連結体との係合を解除させる操作手段とを備えさせる。
【００１１】
一対の扉体には、該一対の扉体の開放を連動させる連動手段を設けてあって、この連動手段は、前記連結体の他端部に付設した連動部材と、前記一対の扉体のうちの一方の扉体へ取り付けて前記連動部材に係合する作動体と、前記連結体か前記連動部材かに設けて前記作動体が当接し、前記扉体の閉塞時に前記係止体と前記連結体との係合を行う操作部材とからなり、
該操作部材は、前記連結体か前記連動部材かの下面から前記扉体の外方へ向かって上り傾斜となるように延設してあって、この操作部材の下面に前記作動体が当接して前記扉体の回動に伴って前記連結体を上方に回動させる。
【００１２】
【実施例】
次に、本発明に関する通船ゲート装置の一実施例を図面に基づいて説明する。図１〜図２および図９，図１０においてＡは通船ゲート装置で、貯水池やダム湖などにおける水面部９において、その放水門側等への塵芥や流木等の流出を防止するために設置された網場ｂの適所に設けて、水面部９を集塵船や巡視船などが自由に行き来できるようにしたもので、接続枠体１と、一対の扉体２ａ，２ｂと、受動体３ａ，３ｂと、施錠・開錠手段４により基本的に構成される。
【００１３】
そして、前記した接続枠体１は、貯水池，ダム湖等の水面部９に張設された網場ｂの途中に介在させて、前記水面部９を通行する船体（両舷部と船底部）ｃに干渉しない幅と深さを有していて、この網場ｂに船体ｃの通路ｄを形成するもので、縦長状の一側枠５ａと、この一側枠５ａと対をなす縦長状の一側枠５ｂおよびこれら両側枠５ａ，５ｂとをその下端部において連結した横枠６とからなる正面形状凵型状に形成されている。
また、一側枠５ａおよび一側枠５ｂの上部には、所定広さの踊り場床体７，８を付設してあって、水面部９より所定寸法突出していて、各種の作業や点検等が行える。
更に、この踊り場床体７，８の下側には、接続枠体１に浮力を与えるフロート１０，１１を所定量取り付けてあって、水面部９上に浮遊させる。
【００１４】
前記した一対の扉体２ａ，２ｂは、観音開き状に形成してあって、接続枠体１の通路ｄ内に設けてこの接続枠体１の一側および他側の両側枠５ａ，５ｂへその外側部を回動縦軸１２ａ，１２ｂにより取り付けて通船ｃが進行する前後方向へ、図２において回動軌跡ｒ１，ｒ２に示すように回動自在とし、接続枠体１の通路ｄを通船しないとき該接続枠体１の通路ｄにおける略幅方向と深さ方向を覆って閉塞する。
【００１５】
この一対の扉体２ａ，２ｂは、一枚扉状の一体ものに形成された一つの外枠と内棧とからなる枠部材１３ａ，１３ｂと、この枠部材１３ａ，１３ｂの空所へ張設したポリエステル繊維等の網部材１４ａ，１４ｂとからなり、塵芥や流木等の流出を防止すると共に水の流通を良好とさせて、かつ、該扉体２ａ，２ｂの開閉時の水中抵抗を軽減させる。
更に、該一対の扉体２ａ，２ｂは、その高さ方向の適所にフロート１５ａ，１５ｂを配設して、この一対の扉体２ａ，２ｂの自重を支承させ、開閉動作の容易を図る。
【００１６】
前記した受動体３ａ，３ｂは、一対の扉体２ａ，２ｂの内側部（接続枠体１の幅方向おける略中央部）において、この一対の扉体２ａ，２ｂの長さ方向と直交する方向の前後へそれぞれ設けて、船体ｃの進行方向先端部ｃ１（船首および船尾）が当接するもので、この船体ｃの先端部ｃ１がこの受動体３ａ，３ｂを押すことで、回動縦軸１２ａ，１２ｂを中心に一対の扉体２ａ，２ｂの開放動作が行われる。
この受動体３ａ，３ｂは、木製や合成樹脂製のフロートを縦長に設けて、水面部９より上方に位置し、船体ｃの進行方向先端部ｃ１に対応する位置に取り付けられる。
なお、扉体２ｂに設けた受動体３ｂは、図２および図５に示すように、扉体２ａに設けた受動体３ａより外方に設けられていて、船体ｃの進行方向先端部ｃ１が受動体３ａより先に当接するように配されているもので、後記する操作手段２３を介して扉体２ｂへ取り付けられている。
【００１７】
前記した施錠・開錠手段４は、一対の扉体２ａ，２ｂに設けて、常時は該一対の扉体２ａ，２ｂが施錠状態に保持されて、接続枠体１の通路ｄを閉塞するものであり、また、受動体３ａ，３ｂの少なくとも一方の受動体３ｂに船体ｃが当接したとき、一対の扉体２ａ，２ｂが開錠状態となる。
すなわち、この施錠・開錠手段４は、一対の扉体２ａ，２ｂのうちの一方の扉体２ｂに取り付けられると共に移動自在に設けた係止体２０と、一対の扉体２ａ，２ｂのうちの他方の扉体２ａの枠部材１３ａへその一端部を支軸２１により上下方向へ回動自在に設け、係止体２０に係合して一対の扉体２ａ，２ｂを連結する連結体２２と、一方の受動体３ｂに接続してこの受動体３ｂが船体ｃの進行方向先端部ｃ１により押されたとき、係止体２０を移動させて該係止体２０の連結体２２との係合を解除させる操作手段２３とを備える。
【００１８】
そして、このうち、係止体２０は、棒状に形成されていて、扉体２ｂにおける枠部材１３ｂに取り付けた上支持部材２４ａおよび下支持部材２４ｂへその上部および下部を上下動自在に挿嵌してあるもので、後記する操作手段２３により移動操作が行われる。
【００１９】
前記した連結体２２は、係止体２０の係止部２０ａが係合し得る係合溝２５が設けられていて、この係止体２０と連結体２２との係合により一対の扉体２ａ，２ｂが連結される。
【００２０】
前記した操作手段２３は、扉体２ｂを挟んでその両側の一方の受動体３ｂと係止体２０とにそれぞれ接続されていて、この受動体３ｂの取付部材２６へ第一リンク２７の一端部を軸２８により回動自在に取り付け、この第一リンク２７の他端部を軸２９によって係止体２０へ固着された操作体３０に回動に取り付けてある。
また、上支持部材２４ａへその一端部を軸３１により回動自在に取り付けた第二リンク３２の中間部を軸３３により連結し、該第二リンク３２の他端部を受動体３ｂの取付部材２６へ添わせて、この他端部をこの取付部材２６面に対して摺動自在に設けてある。なお、第二リンク３２の他端部に回転自在のローラ等の転動部材３４を軸支し、この転動部材３４を取付部材２６へ添わせることで第二リンク３２の摺動移動が円滑となり、第一リンク２７および第二リンク３２の回動案内となる。
更に、操作体３０は、該操作体３０と上支持部材２４ａとの間に引っ張りばね等の弾性力を有する戻し部材３５を張設してあって、常時は、操作体３０が上方へ引き上げられて係止体２０の係止部２０ａが連結体２２の係合溝２５内に臨むように設けられていると共に、受動体３ｂは第一リンク２７および第二リンク３２によって常時は外方へ張り出すように付勢されている。
【００２１】
したがって、この操作手段２３は、図４において矢印ｐに示す方向へ受動体３ｂを押すと、第一リンク２７および第二リンク３２の回動に伴って操作体３０が戻し部材３５の弾性力に抗して、係止体２０を上支持部材２４ａおよび下支持部材２４ｂにおいて下方へ押し下げるため、連結体２２の係合溝２５内に臨む係止部２０ａがこの係合溝２５より下方へ下がり、該係合溝２５と係止部２０ａとの係合が解除され、これに伴って、係止体２０と連結体２２との係合が解除されるので一対の扉体２ａ，２ｂの自由な開放運動を行うことができる。
【００２２】
また、一対の扉体２ａ，２ｂには、該一対の扉体２ａ，２ｂの開放を連動させる連動手段３６を設けてあって、この連動手段３６は、連結体２２の他端部、すなわち、支軸２１により取り付けられた反対側に付設した連動部材３８と、一対の扉体２ａ，２ｂのうちの一方の扉体２ｂへ取り付けて連動部材３８に係合する作動体３９と、連結体２２か連動部材３８かに設けて作動体３９が当接し、一対の扉体体２ａ，２ｂの閉塞時に係止体２０の係止部２０ａと連結体２２の係合溝２５との係合を行う操作部材４０とからなる。
【００２３】
このうち、連動部材３８は、作動体３９の側部が挟まれるように二股状で、外端部に向かうにしたがって外方へ開くように形成されていて、該外端部は接続部を有しない開放状態に形成されていることで、所定の回動角に一対の扉体２ａ，２ｂが開いたとき、この連動部材３８と作動体３９との係合が解除して該両者３８，３９が分離されると共に、前記外端部に向かうにしたがって外方へ開くように形成されることで、一対の扉体２ａ，２ｂの閉塞時に、連動部材３８と作動体３９との係合を容易に行わせることができる。
なお、この連動部材３８は、連結体２２と一体的に形成してもよい。
【００２４】
また、前記した操作部材４０は、連結体２２か連動部材３８か（本実施例にあっては連動部材３８）の下面から扉体２ｂの外方（扉体２ｂの開閉運動方向なる図２における回動軌跡ｒ１，ｒ２方向）へ向かってそれぞれ一対を上り傾斜となるように一体的に延設してあって、この操作部材４０の下面に作動体３９の端部が当接して、扉体２ｂの回動に伴って連結体２２を支軸２１を中心として上下方向に回動させることで、この作動体３９の端部を連動部材３８の間へおよび係止体２０の係止部２０ａを連結体２２の係合溝２５内へ円滑に誘導することができる。
【００２５】
すなわち、作動体３９の端部に転動自在のローラ等の転動部材４１を軸支してあって、一対の扉体２ａ，２ｂの開放状態から閉塞状態に至る過程において、この一対の扉体２ａ，２ｂは略同一の回動角度によって閉まるか、先に一方の扉体２ａが閉まって後から他方の扉体２ｂが閉まるか、あるいは、先に他方の扉体２ｂが閉まって後から一方の扉体２ａが閉まるか、閉塞動作があるがいずれにあってもほぼ同一の作用をなすもので、例えば、先に一方の扉体２ａが閉まって後から他方の扉体２ｂが閉まる例について説明すると、図６（ａ）に示すように、他方の扉体２ｂに設けた作動体３９の転動部材４１が回動移動して操作部材４０の下面４０ａに当接すると、該下面４０ａの斜面によって操作部材４０を連結体２２（連動部材３８）を介して支軸２１を中心として、図６（ｂ）において矢印に示す方向である上方へ回動する。
【００２６】
更に、他方の扉体２ｂが閉まると、作動体３９の端部に設けた転動部材４１が操作部材４０の下面４０ａより外れて、該転動部材４１が連動部材３８の間へ、および係止体２０の係止部２０ａが連結体２２の係合溝２５内に入り込み、一対の扉体２ａ，２ｂの閉塞動作が終了する。この動作と同時に、転動部材４１によるその支持力を失った連結体２２および連動部材３８は、自重により落下して他方の扉体２ｂにおける枠部材１３ｂなどに支承され、再び、連結体２２による一対の扉体２ａ，２ｂの施錠が行われる。
【００２７】
なお、図１および図９において４３ａ，４３ｂは、開放された一対の扉体２ａ，２ｂを自動的に閉塞状態に戻すための閉扉手段で、一対の扉体２ａ，２ｂにおける枠部材１３ａ，１３ｂの下側部にその基端部４７ａ，４７ｂを固着して吊下したワイヤー等の連係索４４ａ，４４ｂの下端部に重錘４５ａ，４５ｂを固着してある。
また、この連係索４４ａ，４４ｂの途中は、接続枠体１における横枠６へコロ等からなる滑動部材４６ａ，４６ｂを介して横枠６へ摺動自在に係合するように配されている。この滑動部材４６ａ，４６ｂは、一対の扉体２ａ，２ｂが閉塞されているとき、それぞれの枠部材１３ａ，１３ｂにできるだけ近い位置に設けることで、該一対の扉体２ａ，２ｂの閉塞動作が円滑に行われる。
【００２８】
これにより、通路ｄを開放した一対の扉体２ａ，２ｂは、船体ｃとの接触が解除された後は、重錘４５ａ，４５ｂの重量により連係索４４ａ，４４ｂを介し、滑動部材４６ａ，４６ｂを経て一対の扉体２ａ，２ｂにおける枠部材１３ａ，１３ｂを引っ張るので、図２において仮想線で示すように、また、図９に示すように、接続枠体１の外側方へ開いた一対の扉体２ａ，２ｂは、横枠６においてその閉塞位置の近傍に設けた滑動部材４６ａ，４６ｂへ向かって引き寄せられ、ついには、横枠６と平行となる閉塞状態に戻される。
なお、この閉扉手段４３ａ，４３ｂは、一対の扉体２ａ，２ｂと接続枠体１とに張設した戻しばね（図示せず）を用いてもよい。
【００２９】
したがって、前記のように構成される本発明の実施例の通船ゲート装置Ａは、以下に述べる作用を奏する。
水上に設置された網場ｂの途中において該網場ｂを長さ方向に分断し、これら網場ｂ，ｂの端部に、接続枠体１における一側枠５ａ，５ｂに付設した接続金具４８を繋いで水面に通船し得る通路ｄ（ゲート部）を形成してあって、この通路ｄに通船ゲート装置Ａが取り付けられている。
この通路ｄ（ゲート部）内の船体ｃの通行にあっては、通船ゲート装置Ａにその一側（例えば、上流側）から近接した船体ｃは、その船体ｃの進行方向先端部ｃ１を受動体３ｂに当接させる。このとき、一対の扉体２ａ，２ｂにはそれぞれ受動体３ａ，３ｂがそれらの最前側に設けられているが、図２および図５に示すように、他方の扉体２ｂに設けた受動体３ｂが一方の扉体２ａの受動体３ａより更に前側（船体ｃ側）に突出しているため、まず、この受動体３ｂへ先に船体ｃの進行方向先端部ｃ１が当たる。
【００３０】
そして、更に船体ｃが進行すると、その先端部ｃ１が受動体３ｂを、図４において矢印ｐの方向へ押すので、第一リンク２７および第二リンク３２が折り畳まることで、係止体２０に固着された操作体３０を戻し部材３５のばね力に抗して下方へ押し出すため、これにより、図７に示すように、係止体２０は上支持部材２４ａおよび下支持部材２４ｂを摺動して下がり、係止体２０の上部に設けた係止部２０ａが連結体２２の係合溝２５内から外れ、一対の扉体２ａ，２ｂにおける連結体２２と係止体２０との連結が解除される。
【００３１】
この状態で、更に船体ｃの進行に伴って該先端部ｃ１が受動体３ｂを押すと、図８に示すように、この他方の扉体２ｂの作動体３９が一方の扉体２ａへ連結体２２を介して取り付けられた連動手段３６における一方の連動部材３８の内側を押すので、この一方の扉体２ａも作動体３９と共に連動的に回動を始める。このとき、受動体３ｂが若干の距離先行移動することで、受動体３ａとにその突出量が並び、両受動体３ａ，３ｂは船体ｃの進行方向先端部ｃ１に対して略平行状態となる。
【００３２】
こうして、先に受動体３ｂの当接に伴って一対の扉体２ａ，２ｂが少しの角度に開けば、図８に示すように、一対の扉体２ａ，２ｂの受動体３ａ，３ｂに船体ｃの進行方向先端部ｃ１が略均一に当たり始め、該一対の扉体２ａ，２ｂは、観音開き状態で、すなわち、図２において示される回動軌跡ｒ１，ｒ２に沿って略均等状態で開かれ、船体ｃは、一対の扉体２ａ，２ｂの受動体３ａ，３ｂに当接しつつ、通路ｄの一側（網場ｂのどちらか一方方向）に偏ることなくその略中央部を円滑に直進行することができる。
このとき、連動手段３６にあっては、所定の開放角度に開いた一対の扉体２ａ，２ｂは、図８に示すように、一対の扉体２ａ，２ｂの受動体３ａ，３ｂに船体ｃの進行方向先端部ｃ１が略均一に当たりながら、一対の扉体２ａ，２ｂの開放に伴って、図１０に示すように、次第に、扉体３ａに設けられた連動部材３８が他方の扉体３ｂに取り付けられた操作部材４０を押すので、この転動部材３８と操作部材４０との係合により、一対の扉体２ａ，２ｂの連動開放を行うことができる。
【００３３】
この通路ｄを船体ｃが通過して通船ゲート装置Ａから離れ、一対の扉体２ａ，２ｂの受動体３ａ，３ｂに対する当接が解消されると、この一対の扉体２ａ，２ｂは、閉扉手段４３ａ，４３ｂによって閉塞方向へ回動される。また、戻し部材３５による操作体３０の上昇に伴って、第一リンク２７および第二リンク３２が拡開されるので、受動体３ａ，３ｂは定位置に復帰すると共に、操作体３０と固着した係止体２０も上昇した定位置に復帰する状態となる。
【００３４】
したがって、一対の扉体２ａ，２ｂの閉塞最終間際にあっては、接続枠体１の横枠６上近傍に位置しているもので、続いて、該一対の扉体２ａ，２ｂの連結が確実に行われる操作がなされる。
すなわち、図６（ａ）に示すように、他方の扉体２ｂに設けた作動体３９の転動部材４１が扉体２ｂと共に回動移動して、操作部材４０の下面４０ａに当接すると、該下面４０ａの斜面によって操作部材４０を連結体２２（連動部材３８）を介して支軸２１を中心として、図６（ｂ）において矢印に示す方向である上方へ回動する。そのため、戻し部材３５により最上昇している係止体２０の係止部２０ａは、前記持ち上がっている連結体２２へ当たることなく円滑に係合溝２５内へと移動できる。
【００３５】
更に、他方の扉体２ｂあるいは一対の扉体２ａ，２ｂが閉まると、作動体３９の端部に設けた転動部材４１が操作部材４０の下面４０ａの最下部からより外れて、該転動部材４１が連動部材３８の間へ、および係止体２０の係止部２０ａが連結体２２の係合溝２５内に入り込み、一対の扉体２ａ，２ｂの閉塞動作が終了する。この動作と同時に、転動部材４１によるその支持力を失った連結体２２および連動部材３８は、自重により落下して他方の扉体２ｂにおける枠部材１３ｂなどに支承され、連結体２２による一対の扉体２ａ，２ｂの施錠が行われる。
【００３６】
これにより、貯水池やダム湖等に設置された網場ｂの通路ｄに対し、船体ｃの通過に際しては、この船体ｃの先端部ｃ１が一対の扉体２ａ，２ｂに設けた受動体３ａ，３ｂを押すだけで、簡単に一対の扉体２ａ，２ｂにかけられた錠が解除され、その連続動作で人手を煩わせることなく開扉される。また、船体ｃの通過した後の一対の扉体２ａ，２ｂは、閉扉手段４３ａ，４３ｂによって自動的に閉じられ、かつ、一対の扉体２ａ，２ｂは人手を煩わせることなく施錠される。
【００３７】
なお、扉体２ｂが先に接続枠体１と略平行状態となるまで閉じた場合であっても、遅れて閉じてきた扉体２ａは、枠部材１３ａに取り付けた連結体２２より延設された操作部材４０が、その傾斜状に設けられた下面４０ａが、扉体２ａが閉じるのに伴って作動体３９に係合することで、徐々に支軸２１を中心に上方へ回動し、連結体２２の係合溝２５と係止体２０の係止部２０ａとの係合を円滑に行うことができ、扉体２ａの閉塞後は、これら連結体２２の係合溝２５と係止体２０の係止部２０ａとの係合が施錠作動を行う。
【００３８】
【発明の効果】
本発明に係る請求項１は、接続枠体の通路における船体の通過に際して、その開扉を前記船体の先端部による押し付けだけで簡単に行え、しかも、閉扉も人手を煩わせることがない。
本発明に係る請求項２，３および４は、一対の扉体に対する施錠と開錠とが人手を煩わせることなく簡単に行える。
【図面の簡単な説明】
【図１】本発明に関する通船ゲート装置の実施例を示す正面図である。
【図２】図１における通船ゲート装置の平面図である。
【図３】図１における通船ゲート装置の連動手段の要部を示す一部の正面図である。
【図４】図１における通船ゲート装置の施錠・開錠手段を示す説明図である。
【図５】図１における通船ゲート装置の施錠・開錠手段および連動手段の要部を示す平面図である。
【図６】図５における通船ゲート装置の扉体の閉塞作動状態を示す説明図である。
【図７】図１における通船ゲート装置の施錠・開錠手段の作動状態を示す説明図である。
【図８】図１における通船ゲート装置の連動手段の作動状態を示す説明図である。
【図９】図１における通船ゲート装置の閉扉手段を示す側面図である。
【図１０】図１における通船ゲート装置の連動手段の更に解放方向の作動状態を示す側面図である。
【図１１】従来の通船ゲートの各例を示す説明図である。
【符号の説明】
ｂ…網場．ｃ…船体．ｃ１…進行方向先端部．ｄ…網場．１…接続枠体．２ａ，２ｂ…一対の扉体．３ａ，３ｂ…受動体．４…施錠・開錠手段．９…水面部．１２ａ，１２ｂ…回動縦軸．２０…係止体．２２…連結体．２３…操作手段．３６…連動手段．３８…連動部材．３９…作動体．４０…操作部材．４０ａ…下面
【図１】
2004044107.tif 000003
【図２】
2004044107.tif 000004
【図３】
2004044107.tif 000005
【図４】
2004044107.tif 000006
【図５】
2004044107.tif 000007
【図６】
2004044107.tif 000008
【図７】
2004044107.tif 000009
【図８】
2004044107.tif 000010
【図９】
2004044107.tif 000011
【図１０】
2004044107.tif 000012
【図１１】
2004044107.tif 000013
【手続補正書】
【提出日】平成15年1月8日(2003.1.8)
【手続補正１】
【補正対象書類名】明細書
【補正対象項目名】特許請求の範囲
【補正方法】変更
【補正の内容】
【特許請求の範囲】
【請求項１】
貯水池，ダム湖等の水面部に張設された網場の途中に介在させて、前記水面部を通行する船体に干渉しない幅と深さを有して前記網場に前記船体の通路を形成する接続枠体と、該接続枠体の通路内に設けてこの接続枠体の側枠へその外側部を回動縦軸により取り付けて前記船体が進行する前後方向へ回動自在とし、前記接続枠体の通路を通船しないとき該接続枠体の通路を閉塞する観音開き状の一対の扉体と、これら一対の扉体において前記回動縦軸側とは反対側へ突設させて前記船体の進行方向先端部が当接する受動体と、前記一対の扉体に設けて、常時は該一対の扉体が施錠状態に保持され、前記受動体の少なくとも一方に前記船体が当接したとき前記一対の扉体が開錠状態となる施錠・開錠手段とを備えさせ、
前記施錠・開錠手段は、前記一対の扉体のうちの一方の扉体に取り付けられると共に移動自在に設けた係止体と、前記一対の扉体のうちの他方の扉体へその一端部を支軸により上下方向へ回動自在に設け、前記係止体に係合して前記一対の扉体を連結する連結体と、受動体に接続してこの受動体が前記船体の進行方向先端部により押されたとき、前記係止体を移動させて該係止体の前記連結体との係合を解除させる操作手段とを有することを特徴とする通船ゲート装置。
【請求項２】
貯水池，ダム湖等の水面部に張設された網場の途中に介在させて、前記水面部を通行する船体に干渉しない幅と深さを有して前記網場に前記船体の通路を形成する接続枠体と、該接続枠体の通路内に設けてこの接続枠体の側枠へその外側部を回動縦軸により取り付けて前記船体が進行する前後方向へ回動自在とし、前記接続枠体の通路を通船しないとき該接続枠体の通路を閉塞する観音開き状の一対の扉体と、これら一対の扉体において前記回動縦軸側とは反対側へ突設させて前記船体の進行方向先端部が当接する受動体と、前記一対の扉体に設けて、常時は該一対の扉体が施錠状態に保持され、前記受動体の少なくとも一方に前記船体が当接したとき前記一対の扉体が開錠状態となる施錠・開錠手段とを備えさせ、
前記一対の扉体には、該一対の扉体の開放を連動させる連動手段を設けてあって、
この連動手段は、前記一対の扉体のうちの他方の扉体へその一端部を支軸により上下方向へ回動自在に設けた連結体と、この連結体の他端部に付設した連動部材と、前記一対の扉体のうちの一方の扉体へ取り付けて前記連動部材に係合する作動体と、前記連結体か前記連動部材かに設けて前記作動体が当接し、前記扉体の閉塞時に前記係止体と前記連結体との係合を行う操作部材とからなり、
該操作部材は、前記連結体か前記連動部材かの下面から前記扉体の外方へ向かって上り傾斜となるように延設してあって、この操作部材の下面に前記作動体が当接して前記扉体の回動に伴って前記連結体を上方に回動させることを特徴とする通船ゲート装置。
【手続補正２】
【補正対象書類名】明細書
【補正対象項目名】０００８
【補正方法】変更
【補正の内容】
【０００８】
【課題を解決するための手段】
前記した目的を達成するための本発明の手段は、
貯水池，ダム湖等の水面部に張設された網場の途中に介在させて、前記水面部を通行する船体に干渉しない幅と深さを有して前記網場に前記船体の通路を形成する接続枠体と、該接続枠体の通路内に設けてこの接続枠体の側枠へその外側部を回動縦軸により取り付けて前記船体が進行する前後方向へ回動自在とし、前記接続枠体の通路を通船しないとき該接続枠体の通路を閉塞する観音開き状の一対の扉体と、これら一対の扉体において前記回動縦軸側とは反対側へ突設させて前記船体の進行方向先端部が当接する受動体と、前記一対の扉体に設けて、常時は該一対の扉体が施錠状態に保持され、前記受動体の少なくとも一方に前記船体が当接したとき前記一対の扉体が開錠状態となる施錠・開錠手段とを備えさせ、
前記施錠・開錠手段は、前記一対の扉体のうちの一方の扉体に取り付けられると共に移動自在に設けた係止体と、前記一対の扉体のうちの他方の扉体へその一端部を支軸により上下方向へ回動自在に設け、前記係止体に係合して前記一対の扉体を連結する連結体と、受動体に接続してこの受動体が前記船体の進行方向先端部により押されたとき、前記係止体を移動させて該係止体の前記連結体との係合を解除させる操作手段とを有する通船ゲート装置の構成にある。


【手続補正３】
【補正対象書類名】明細書
【補正対象項目名】０００９
【補正方法】変更
【補正の内容】
【０００９】
そして、
貯水池，ダム湖等の水面部に張設された網場の途中に介在させて、前記水面部を通行する船体に干渉しない幅と深さを有して前記網場に前記船体の通路を形成する接続枠体と、該接続枠体の通路内に設けてこの接続枠体の側枠へその外側部を回動縦軸により取り付けて前記船体が進行する前後方向へ回動自在とし、前記接続枠体の通路を通船しないとき該接続枠体の通路を閉塞する観音開き状の一対の扉体と、これら一対の扉体において前記回動縦軸側とは反対側へ突設させて前記船体の進行方向先端部が当接する受動体と、前記一対の扉体に設けて、常時は該一対の扉体が施錠状態に保持され、前記受動体の少なくとも一方に前記船体が当接したとき前記一対の扉体が開錠状態となる施錠・開錠手段とを備えさせ、
前記一対の扉体には、該一対の扉体の開放を連動させる連動手段を設けてあって、
この連動手段は、前記一対の扉体のうちの他方の扉体へその一端部を支軸により上下方向へ回動自在に設けた連結体と、この連結体の他端部に付設した連動部材と、前記一対の扉体のうちの一方の扉体へ取り付けて前記連動部材に係合する作動体と、前記連結体か前記連動部材かに設けて前記作動体が当接し、前記扉体の閉塞時に前記係止体と前記連結体との係合を行う操作部材とからなり、
該操作部材は、前記連結体か前記連動部材かの下面から前記扉体の外方へ向かって上り傾斜となるように延設してあって、この操作部材の下面に前記作動体が当接して前記扉体の回動に伴って前記連結体を上方に回動させる通船ゲート装置の構成にある。


【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】